(57)【特許請求の範囲】
【請求項１】
開口部を有し、内部に撒き餌を収容し得る本体と、
釣り糸が連結される部材であって、前記本体に対して移動可能な相対移動部材と、
前記本体に対して前記相対移動部材を付勢する付勢部材と、
前記本体の開口部を塞ぎ得る部材であって、前記相対移動部材に連動するフタ部材と、
を備え、釣り糸を上昇させることで前記フタ部材による前記本体の開口部の閉塞が解除され、
釣り人が釣り糸に力を作用させていないときには、前記付勢部材の付勢力によって、前記フタ部材が前記本体の開口部を塞ぐ位置に移動する、撒き餌かご。
【請求項２】
前記付勢部材の付勢力を調節する調節部材をさらに備えた、請求項１に記載の撒き餌かご。
【発明の詳細な説明】
【０００１】
【発明の属する技術分野】
本発明は、撒き餌を収容し水中で撒き餌を放出する撒き餌かごに関する。
【０００２】
【従来の技術】
撒き餌は、釣りにおいて魚を寄せ付け、水中に沈めた仕掛けに魚がかかりやすくするものである。この撒き餌を収容して水中において放出する容器が撒き餌かごであって、撒き餌かごは仕掛けとともに水中に沈められる。
【０００３】
そして、最近の撒き餌かごには、沈降中に撒き餌が放出されないように、水の抵抗力や自重などによって放出用開口が閉まる構造のものが現れている。このような撒き餌かごならば、沈降中は撒き餌が撒き餌かご内に保持され、棚で撒き餌かごが止まると放出用開口が開き、釣り糸をしゃくり上げたときに撒き餌かご内の水流によって撒き餌が放出用開口から水中に放出される。このため、沈降中に撒き餌が無駄に放出されなくなる。
【０００４】
【発明が解決しようとする課題】
しかし、従来の撒き餌かごでは、棚や海底で撒き餌かごが急に停止するときにも撒き餌が放出される恐れがある。すなわち、釣り人の意志にかかわらず、撒き餌かごの停止に伴い撒き餌が放出されることがある。例えば、一旦魚棚を行き過ぎて仕掛けの降下を停止させた場合、その行き過ぎた位置（魚棚よりも下方の位置）で撒き餌が無駄に放出される恐れがある。この場合には、撒き餌が無駄になるだけではなく、魚群が上下に散らばり拡がってしまうことになり、釣果を得にくくなってしまう。
【０００５】
また、従来の撒き餌かごは、沈降が止まると放出用開口が開き、その後釣り糸をしゃくり上げることで開放された放出用開口から撒き餌が放出される。しかしながら、釣り人が積極的にしゃくり動作を行うときだけでなく、釣り糸を遅い速度で巻き上げる際にも、放出用開口からある程度の撒き餌が水中に放出されてしまう。すなわち、撒き餌を放出する意志が釣り人にないときにも、釣り糸の巻き上げに伴って撒き餌が無駄に放出されてしまう。
【０００６】
本発明の課題は、無駄な撒き餌の放出が抑えられる撒き餌かごを提供することにある。
【０００７】
【課題を解決するための手段】
発明１に係る撒き餌かごは、本体と、相対移動部材と、付勢部材と、フタ部材とを備えている。本体は、内部に撒き餌を収容し得るものであって、開口部を有している。相対移動部材は、釣り糸が連結される部材であって、本体に対して移動可能となっている。付勢部材は、本体に対して相対移動部材を付勢する。フタ部材は、本体の開口部を塞ぎ得る部材であって、相対移動部材に連動する。そして、この撒き餌かごでは、釣り糸を上昇させることで、フタ部材による本体の開口部の閉塞が解除される。釣り人が釣り糸に力を作用させていないときには、付勢部材の付勢力によって、フタ部材が本体の開口部を塞ぐ位置に移動する。
【０００８】
本発明の撒き餌かごでは、釣り糸が連結される相対移動部材が本体に対して移動できるように構成されているため、釣り糸を上下させることによって（いわゆる、しゃくり動作を行うことによって）、本体と相対移動部材とを相対移動させることができる。そして、相対移動部材にフタ部材が連動するようにされているため、釣り糸を上下させれば、フタ部材が本体に対して移動し、フタ部材が本体開口部を開閉する。
【０００９】
ここでは、通常はフタ部材によって本体開口部が塞がれており、沈降中や沈降から停止に移行する時には撒き餌が放出されない。すなわち、沈降させていた撒き餌かごを停止させただけで無駄に撒き餌が放出されるようなことはない。一方、しゃくり動作を行えば撒き餌が放出されるので、釣り人は、望むときに撒き餌を放出させることができる。
【００１０】
また、付勢部材が働いて、釣り人が釣り糸に力を加えていないときには、フタ部材が本体開口部を塞いだ状態となる。また、フタ部材は、付勢部材の付勢力以上の力で釣り糸が引っ張られない限り、閉まった状態のままである。したがって、仕掛けなどともに撒き餌かごを沈降させている時、及び撒き餌かごが沈降から停止に移行する時にフタ部材が閉まった状態を保持するように付勢部材の付勢力を設定してやれば、目的の棚以外での無駄な撒き餌の放出を阻止することができる。
【００１１】
さらに、釣り糸を遅い速度で巻き上げるときにもフタ部材の閉まった状態が保持され、強く釣り糸をしゃくり上げたときに初めてフタ部材が開くように付勢部材の付勢力を設定してやれば、単なる巻き上げ時に釣り人の意に反して撒き餌が無駄に放出される不具合をなくすことができる。
【００１２】
発明２に係る撒き餌かごは、発明１に記載の撒き餌かごであって、調節部材をさらに備えている。調節部材は、付勢部材の付勢力を調節する部材である。
【００１３】
ここでは、付勢部材の付勢力を調節することができる。このため、通常の釣り糸の巻き上げ張力ではフタ部材が開かないように付勢力を調節して、棚で大きくしゃくり動作を行うことによってのみ撒き餌が放出されるように撒き餌かごを設定することが容易にできる。また、どれくらいの強さでしゃくり上げればフタ部材が開くかを調節することで、釣り人が撒き餌かごを自分にとって使いやすいものとすることができる。
【００１４】
【発明の実施の形態】
＜全体構成＞
本発明の一実施形態に係る撒き餌かごを図１及び図２に示す。図１は撒き餌かご１の側面図、図２は撒き餌かご１の一部断面平面図である。この撒き餌かご１は、主として、下本体２と、中本体３と、上本体４と、入り口フタ５と、側部フタ６と、摺動軸７と、コイルスプリング８と、調節ネジ９と、留め具１０とから構成されている。
【００１５】
＜下本体＞
下本体２は、図３に示すような形状の樹脂加工部品であり、外殻２１と、２つの円柱状突起２２とから構成されている。図３（ａ）は平面図、図３（ｂ）は上面図、図３（ｃ）は図３（ａ）のＣ−Ｃ断面図である。
【００１６】
外殻２１には、下端に孔２１ｂ、両側部にそれぞれ孔２１ｃが形成されている。孔２１ｂは、図１に示すように、重りや仕掛け等を連結するための下スイベル１２を固定ネジ１１によって下本体２の下端に固定するために設けられている。孔２１ｃは、後述する中本体３の結合孔３１ｅ（図４及び図５参照）に対応する位置に形成されている。
【００１７】
また、各円柱状突起２２は、外殻２１の上端に形成されている円弧状上縁部の両端から、互いに向かい合うように内側に突出している。
【００１８】
なお、本実施形態では下スイベル１２に重りを連結するタイプの撒き餌かご１を示しているが、下本体２の下部に予め重りを固定しておくことも可能である。
【００１９】
＜中本体＞
中本体３は、図４及び図５に示すような形状の樹脂加工部品であり、外殻３１と、円錐部３２とから構成されている。図４（ａ）は平面図、図４（ｂ）は側面図、図４（ｃ）は上面図である。
【００２０】
外殻３１の下縁部の一部には、切り口が円弧となるような切欠き３１ａが形成されている。この切欠き３１ａは、図１及び図２に示すように、入り口フタ５の上部の形状と一致する。外殻３１の両側部には、角形開口３１ｂが形成されている。左右対称に設けられたこれらの角形開口３１ｂは、後述する側部フタ６の内周面６１ａ，６２ａによって塞がれる。また、外殻３１には、撒き餌放出時に水を通すための通孔３１ｃ、留め具１０を取り付けるための取り付け孔３１ｄ、及び下本体２との結合のための結合孔３１ｅも形成されている。さらに、外殻３１の角形開口３１ｂの上方部分には、後述する側部フタ６のスライドフタ部６１，６２と摺動する摺動面３１ｆが形成されている。摺動面３１ｆは、円筒の外周面の一部に相当する湾曲を有する面となっている。
【００２１】
円錐部３２は、外殻３１とともに一体的に形成されるもので、撒き餌かご１の組み上がり時には上本体４が被せられる。円錐部３２と外殻３１との間には環状突起を含む結合部３３が形成されており、この結合部３３により中本体３と上本体４とが結合される。また、円錐部３２の側部には通孔３２ａが、上端には円孔３２ｂが形成されている。この円孔３２ｂには、図１及び図２に示すように、摺動軸７が貫通し、調節ネジ９がねじ込まれる。
【００２２】
＜上本体＞
上本体４は、図６に示すような形状の樹脂加工部品である。図６（ａ）は一部断面側面図、図４（ｂ）は上面図である。上本体４は、上述のように中本体３の円錐部３２に被せられるものであって、円錐部３２の通孔３２ａに重なり得る通孔４ａ、上端に形成された開口４ｂ、及び下縁部の内面に形成された環状溝を含む結合部４ｃを有している。この上本体４の結合部４ｃと中本体３の結合部３３とが係合することによって、中本体３と上本体４とが結合される。
【００２３】
＜入り口フタ＞
入り口フタ５は、図７に示すような形状の樹脂加工部品である。図７（ａ）は平面図、図７（ｂ）は側面図、図７（ｃ）は上面図である。入り口フタ５は、フタ部５１と、ヒンジ部５２とから構成されている。この入り口フタ５は、下本体２と中本体３とが組み合わされたときに出来る下側部の開口を塞ぐことのできるものであり、フタ部５１の外形が下本体２の外殻２１の湾曲面及び中本体３の外殻３１の湾曲面と同様に湾曲している。
【００２４】
ヒンジ部５２は、フタ部５１の両側部に固定されているもので、長円孔５２ａが形成されている。この長円孔５２ａは、図１に示すように、下本体２の各円柱状突起２２と係合する。したがって、入り口フタ５は、円柱状突起２２に支持されるようになり、円柱状突起２２に対する回転及び円柱状突起２２に対する長円孔５２ａの係止部分のスライドによって開閉する（図９参照）。なお、図９に示すように、入り口フタ５を開けるときには、留め具１０を回して留め具１０による入り口フタ５の係止（図１参照）を解除する。
【００２５】
＜側部フタ＞
側部フタ６は、図８に示すような形状の樹脂加工部品であり、中央のボス部６４と、中本体３の角形開口３１ｂを塞ぐように左右対称に配置されるスライドフタ部６１，６２と、これらを結合する棒状部６３とから構成されている。図８（ａ）は上面図、図８（ｂ）は一部断面平面図である。
【００２６】
ボス部６４に形成されている中心孔６５には摺動軸７の下端が挿入固定されており、側部フタ６は、摺動軸７の上下移動に従って上下にスライドする（図２及び図１１参照）。スライドフタ部６１，６２の内周面６１ａ，６２ａは、図８（ａ）に示すように円筒の内周面の一部に相当する面であって、外殻３１の摺動面３１ｆと接触している。
【００２７】
＜摺動軸，コイルスプリング，調節ネジ＞
摺動軸７は、鉛直方向に延びる軸であり、上本体４の上方から上本体４の内部空間及び中本体３の内部空間へと延びている。摺動軸７の下端には側部フタ６が固定され、上端には道糸（釣り糸）を連結するための上スイベル１３が固定される（図２参照）。この摺動軸７は、コイルスプリング８及び調節ネジ９によって、本体２，３，４に上下移動可能に支持されている。
【００２８】
コイルスプリング８は、上本体４に対して摺動軸７及び側部フタ６を下方に付勢するバネ部材である。コイルスプリング８の下端は、摺動軸７に固定されるバネ押さえ部材８ａに当接している。また、コイルスプリング８の上端は、調節ネジ９に支持されているバネ押さえ部材８ｂに当接している。図２に示す状態において、コイルスプリング８は、上本体４に対して摺動軸７及び側部フタ６を下方に付勢している。これにより、通常は、側部フタ６が中本体３の角形開口３１ｂを完全に塞いだ状態となっている。
【００２９】
調節ネジ９は中本体３の円孔３２ｂにねじ込まれるものであるが、この調節ネジ９のねじ込み量を変えることによって、コイルスプリング８の圧縮度合いを変えることが可能である。すなわち、調節ネジ９によりコイルスプリング８の圧縮度合いを変えることによって、摺動軸７のスライドのし易さが変わり、摺動軸７の下端に固定されている側部フタ６のスライドのし易さが変化する。ここでは、通常の釣り糸の巻き上げ張力では側部フタ６がスライドしないように、調節ネジ９によってコイルスプリング８の付勢力が調節される。
【００３０】
＜留め具＞
留め具１０は、下本体２及び中本体３に対する入り口フタ５の閉の状態（図１に示す状態）を保持及び保持解除するために設けられている部材である。この留め具１０は、中本体３に取り付けられるもので、外側のつまみ部１０ａと内側の係止部１０ｂとが中本体３の取り付け孔３１ｄを貫通する連結部でつながっている。つまみ部１０ａ及び係止部１０ｂは、それぞれ細長い形状を有しており、鉛直方向に延びているときには入り口フタ５の上端を外側及び内側から挟むことができ、鉛直方向に直交する向きにひねられたときには入り口フタ５から離れる。
【００３１】
また、つまみ部１０ａは、鉛直方向に延びて入り口フタ５を閉状態に保っているときに、鉛直方向に対して流線形状となる。
【００３２】
＜撒き餌かごの外形＞
以上の各構成部品により組み上げられた撒き餌かご１の外形は、主として、下本体２の外殻２１、中本体３の外殻３１、上本体４、入り口フタ５のフタ部５１、及び側部フタ６のスライドフタ部６１，６２の外面により形成される（図１及び図２参照）。そして、図に示すように、これらから形成される撒き餌かご１の外形は、水滴形状（流線形状）となっている。すなわち、撒き餌かご１は、その側面各点における接線が、撒き餌かご１の沈降時に周囲を流れる水の流れ方向に概ね一致するようになっている。
【００３３】
＜撒き餌かごの動作＞
釣り人は、重りや仕掛け等を下スイベル１２に、道糸を上スイベル１３に連結して、撒き餌かご１を重りや仕掛けとともに水中に沈める。この撒き餌かご１には、入り口フタ５を図９に示すように開けた状態で、予めオキアミ等の撒き餌が詰められる。撒き餌かご１を水中に入れるときには、図１に示すように、留め具１０によって入り口フタ５が閉められた状態とされる。
【００３４】
撒き餌かご１が水中を沈降していくときには、入り口フタ５及び側部フタ６により開口部分が塞がれているため、撒き餌が放出されない。
【００３５】
そして、狙った水域に仕掛けや撒き餌かご１が到達すると、釣り人は、しゃくり動作を行って（竿を上下させて）道糸を引くことによって、撒き餌かご１から撒き餌を放出させる。釣り人が釣り糸を強く引く（上昇させる）と、一体となっている上スイベル１３，摺動軸７，及び側部フタ６が上昇する。これに対し、本体２，３，４は、コイルスプリング８により摺動軸７と連結されてはいるが、水圧を受けておりコイルスプリング８が圧縮されるため、摺動軸７や側部フタ６の移動と完全には連動しない。すなわち、釣り人が釣り糸を強く引いたときには、コイルスプリング８が圧縮し、側部フタ６と本体２，３，４とが上下に相対移動する。したがって、釣り糸を引くことによって側部フタ６に塞がれていた角形開口３１ｂが開き、このときに撒き餌かご１内の撒き餌が水中へと放出される。
【００３６】
図１０及び図１１に、側部フタ６が本体２，３，４に対し上方にスライドして角形開口３１ｂの下部が開いた状態を示す。図１０の１点鎖線のハッチングで示すエリアＡが、角形開口３１ｂの開いた部分である。このエリアＡを通って、図１１の白抜きの矢印で示すように、撒き餌が水中に放出されていく。撒き餌放出時には、通孔３１ｃから撒き餌かご１内に水が入って、撒き餌の放出を助長する。
【００３７】
＜撒き餌かごの特徴＞
（１）
本実施形態の撒き餌かご１では、釣り糸が連結される摺動軸７が本体２，３，４に対して移動できるように構成されているため、しゃくり動作を行うことによって、本体２，３，４と摺動軸７とを相対移動させることができる。そして、摺動軸７と側部フタ６とが固定されているため、釣り糸を強く引けば、側部フタ６が本体２，３，４に対して上方にスライドし、角形開口３１ｂが開く。
【００３８】
したがって、通常は側部フタ６によって角形開口３１ｂが塞がれており、仕掛けの沈降中や沈降から停止に移行する時には撒き餌が放出されない。すなわち、沈降させていた仕掛け（撒き餌かご１）を停止させただけで無駄に撒き餌が放出されるようなことがなくなっている。一方、釣り人は、しゃくり動作を行うことによって、望むときに撒き餌を放出させることが可能である。
【００３９】
（２）
また、撒き餌かご１は、コイルスプリング８を備えており、釣り人が釣り糸に引っ張っていないときには、側部フタ６が角形開口３１ｂを塞いだ状態となっている。側部フタ６は、コイルスプリング８の付勢力以上の力で釣り糸が引っ張られない限り、閉まった状態を保つ。そして、釣り糸が強く引かれない限り撒き餌が放出されないようにコイルスプリング８の付勢力が設定されているため、仕掛けなどとともに撒き餌かご１を沈降させている時、撒き餌かご１が沈降から停止に移行する時、及び釣り糸を単に巻き上げている時に撒き餌が無駄に放出されることはなくなる。
【００４０】
（３）
また、本実施形態の撒き餌かご１では、調節ネジ９のねじ込み量を変えることによって、コイルスプリング８の圧縮度合いを変えることが可能である。すなわち、調節ネジ９によって、摺動軸７及び側部フタ６のスライドのし易さを変えることができる。
【００４１】
そして、ここでは、上記のように、通常の釣り糸の巻き上げ張力では側部フタ６がスライドしないよう、調節ネジ９によってコイルスプリング８の付勢力が調節されている。したがって、狙った棚で大きくしゃくり動作を行うことによってのみ撒き餌が放出され、仕掛けの沈降時や停止時、通常の釣り糸の巻き上げ時には撒き餌は放出されない。すなわち、釣り人は、無駄に撒き餌を放出させることなく、狙った棚でのみ撒き餌を放出させることができるようになる。
【００４２】
【発明の効果】
本発明に係る撒き餌かごでは、通常はフタ部材によって本体開口部が塞がれており、沈降中や沈降から停止に移行する時に無駄に撒き餌が放出されることがなくなる。一方、しゃくり動作を行って釣り糸を上昇させれば撒き餌が放出されるので、釣り人は、望むときに撒き餌を放出させることができる。
【図面の簡単な説明】
【図１】  本発明の一実施形態に係る撒き餌かごの側面図。
【図２】  撒き餌かごの一部断面平面図。
【図３】  撒き餌かごの下本体図。
【図４】  撒き餌かごの中本体図。
【図５】  図４（ｃ）のV-V断面図。
【図６】  撒き餌かごの上本体図。
【図７】  撒き餌かごの入り口フタ図。
【図８】  撒き餌かごの側部フタ図。
【図９】  入り口フタの開状態図。
【図１０】  側部フタが開いたときの図１に相当する撒き餌かごの側面図。
【図１１】  側部フタが開いたときの図２に相当する撒き餌かごの一部断面平面図。
【符号の説明】
１    撒き餌かご
２    下本体
３    中本体
４    上本体
６    側部フタ（フタ部材）
７    摺動軸（相対移動部材）
８    コイルスプリング（付勢部材）
９    調節ネジ（調節部材）
３１ｂ    角形開口（開口部）
【図１】
0004266473.tif 000002
【図２】
0004266473.tif 000003
【図３】
0004266473.tif 000004
【図４】
0004266473.tif 000005
【図５】
0004266473.tif 000006
【図６】
0004266473.tif 000007
【図７】
0004266473.tif 000008
【図８】
0004266473.tif 000009
【図９】
0004266473.tif 000010
【図１０】
0004266473.tif 000011
【図１１】
0004266473.tif 000012